(57)【要約】      （修正有）【課題】操作が簡単で使いやすく、熱量がより速く、保温効果がより良い、暖足器を提供する。【解決手段】暖足器は、発熱カーペット１と、発熱カーペットに電気接続される、加熱を制御するための回路板と、発熱カーペットに円筒形に包囲させ得る接続手段と、を含む。暖足器は、発熱層があり、発熱層が一枚一枚の発熱膜があり、カールの収納方式を採用し、折りたたみ収納方式で内部回路が壊れやすく、安全性が足りない問題を解決しました。発熱層は一ブロックの発熱膜で、生産時に一度成型できるので、つなぎ合わせる必要がなく、人工コストを大幅に低減し、生産効率を高めた。発熱膜は一定の硬度を持ち、縦置きを支えることができ、暖足器の全体の厚さを大幅に減少させ、収納に便利である。【選択図】図１
0003234954.tif 000002
【実用新案登録請求の範囲】
【請求項１】
暖足器であって、
発熱カーペット１と、発熱カーペット１に電気接続される、加熱を制御するための回路板
３と、および、発熱カーペット１の両端に設けられる、接続および支持作用を発揮すると
ともに、発熱カーペット１に円筒形に包囲させ得る接続手段２と、
を含む、暖足器。
【請求項２】
加熱に用いられる発熱層１１と、快速な熱散逸の防止に用いられる保温層１２と、および
、快適感の向上に用いられる内表層１３と、を含み、発熱層１１は保温層１２と内表層１
３の間に位置されている、
請求項１に記載の暖足器。
【請求項３】
発熱カーペット１の上方に、包囲動作後に足を入れ易くさせるための凹形口１７を含み、
発熱カーペット１の両端の接続位置は、凹形口１７の中間位置、または左側寄り位置ある
いは右側寄り位置に位置する、
請求項１に記載の暖足器。
【請求項４】
保温層１２は、熱輻射を反射し、熱を集めるための反射層１４を含み、保温層１２はさら
に、熱の散逸を防止するための隔熱層１５、および内部を保護するための保護層１６を含
み、反射層１４の一面は発熱層１１に貼合され、その他面は隔熱層１５に貼合されており
、保護層１６は発熱カーペット１の外表面となる、
請求項２に記載の暖足器。
【請求項５】
発熱層１１と回路板３とが電気接続され、回路板３と外部の電源ワイヤとが電気接続され
、発熱層１１の材料は一定の硬度を持ち、且つ巻き曲げられる発熱膜を有する、
請求項２に記載の暖足器。
【請求項６】
内表層１３の材料は絨布とし、反射層１４の材料はアルミニウム膜とし、隔熱層１５の材
料はＸＰＥ材料とし、保護層１６の材料はＰＥ材料とする、
請求項４に記載の暖足器。
【請求項７】
隔熱層１５の厚度範囲は２．０ｍｍ〜３．５ｍｍとする、
請求項４に記載の暖足器。
【請求項８】
発熱層１１の厚度範囲は０．３ｍｍ〜０．６ｍｍとする、
請求項５に記載の暖足器。
【請求項９】
接続手段２は雄接続手段２１と雌接続手段２２とを含み、雄接続手段２１と雌接続手段２
２はそれぞれ発熱カーペット１の両端に接続されており、雄接続手段２１は発熱カーペッ
ト１の外側に位置する第１前盖２３と、発熱カーペット１の内側に位置する第１後盖２４
とを含み、雌接続手段２２は発熱カーペット１の外側に位置する第２前盖２５と、発熱カ
ーペット１の内側に位置する第２後盖２６とを含み、雄接続手段２１上に凸起した係りバ
ックル２７が設けられ、雌接続手段２２に対応的に係りバックル２７を係合する係溝２８
が設けられている、
請求項１に記載の暖足器。
【請求項１０】
カーペット１の一端の外側に回路板３を取り付けるための取付溝３１が設けられており、
回路板３上に電源をオンオフ制御し、ランクを調節するためのスイッチボード３２が電気
接続されており、スイッチボード３２上にスイッチボタン３３が取付けられている、
請求項１に記載の暖足器。
【考案の詳細な説明】
【技術分野】
【０００１】
本実用新案は暖房設備の技術分野に関し、特に暖足器に関するものである。
【背景技術】
【０００２】
寒い冬には、エアコンと電気ストーブを使って部屋の暖房をします。エアコンと電気スト
ーブは部屋全体の温度を上げることができますが、熱の上昇の原理で部屋の温度分布が不
均衡になり、エアコンと電気ストーブのある部屋でも足の冷えを感じる人が多いです。
【０００３】
この問題を解決するために、暖足器を発明しました。暖足器の中に電気ヒーターが設置さ
れています。足の周りを暖足器で囲むと、足の周りを暖めることができます。既存の暖足
器の多くは折りたたみ式です。内部の電気加熱シートは複数の継ぎ目で、導線でつながっ
ています。使う時は暖足器のブロックを広げて、足の周りにまっすぐに置く。使わない時
は一枚のブロックを折り畳んで収納する。操作が面倒で、何回も折りたたんでから内部回
路が壊れやすく、安全性が足りません。また、生産時には複数の電気加熱シートが必要と
なり、人件費が高く、効率も低下しています。既存の足温器の内部には支持板があり、全
体的に厚く、収納時に占める空間が大きいです。これらの問題を解決するために、新しい
タイプの暖足器を開発しました。
【考案の概要】
【０００４】
既存の暖足器の使用が面倒で、内部回路が壊れやすく、収納に不便で、人件費が高く、効
率が低下しているなどの欠陥を解決するために、本実用新案は暖足器を提供する。
上記の問題を解決するために、本考案は以下の技術案を提供する。
暖足器は、
発熱カーペット１と、発熱カーペット１に電気接続される、加熱を制御するための回路板
３と、および、発熱カーペット１の両端に設けられる、接続および支持作用を発揮すると
ともに、発熱カーペット１に円筒形に包囲させ得る接続手段２と、
を含む。
さらに、加熱に用いられる発熱層１１と、快速な熱散逸の防止に用いられる保温層１２と
、および、快適感の向上に用いられる内表層１３と、を含み、発熱層１１は保温層１２と
内表層１３の間に位置されている。
さらに、発熱カーペット１の上方に、包囲動作後に足を入れ易くさせるための凹形口１７
を含み、発熱カーペット１の両端の接続位置は、凹形口１７の中間位置、または左側寄り
位置あるいは右側寄り位置に位置する。
さらに、保温層１２は、熱輻射を反射し、熱を集めるための反射層１４を含み、保温層１
２はさらに、熱の散逸を防止するための隔熱層１５、および内部を保護するための保護層
１６を含み、反射層１４の一面は発熱層１１に貼合され、その他面は隔熱層１５に貼合さ
れており、保護層１６は発熱カーペット１の外表面となる。
さらに、発熱層１１と回路板３とが電気接続され、回路板３と外部の電源ワイヤとが電気
接続され、発熱層１１の材料は一定の硬度を持ち、且つ巻き曲げられる発熱膜を有する。
さらに、内表層１３の材料は絨布とし、反射層１４の材料はアルミニウム膜とし、隔熱層
１５の材料はＸＰＥ材料とし、保護層１６の材料はＰＥ材料とする。
さらに、隔熱層１５の厚度範囲は２．０ｍｍ〜３．５ｍｍとする。
さらに、発熱層１１の厚度範囲は０．３ｍｍ〜０．６ｍｍとする。
さらに、接続手段２は雄接続手段２１と雌接続手段２２とを含み、雄接続手段２１と雌接
続手段２２はそれぞれ発熱カーペット１の両端に接続されており、雄接続手段２１は発熱
カーペット１の外側に位置する第１前盖２３と、発熱カーペット１の内側に位置する第１
後盖２４とを含み、雌接続手段２２は発熱カーペット１の外側に位置する第２前盖２５と
、発熱カーペット１の内側に位置する第２後盖２６とを含み、雄接続手段２１上に凸起し
た係りバックル２７が設けられ、雌接続手段２２に対応的に係りバックル２７を係合する
係溝２８が設けられている。
さらに、カーペット１の一端の外側に回路板３を取り付けるための取付溝３１が設けられ
ており、回路板３上に電源をオンオフ制御し、ランクを調節するためのスイッチボード３
２が電気接続されており、スイッチボード３２上にスイッチボタン３３が取付けられてい
る。
【０００５】
本実用新案は既存技術に比べて以下の利点がある。
1、本実用的な新型の暖足器は、発熱層があり、発熱層が一枚一枚の発熱膜があり、カー
ルの収納方式を採用し、折りたたみ収納方式で内部回路が壊れやすく、安全性が足りない
問題を解決しました。
2、本実用的な新型の暖足器で、発熱層は一ブロックの発熱膜で、生産時に一度成型でき
るので、つなぎ合わせる必要がなく、人工コストを大幅に低減し、生産効率を高めました
。
3、本実用的な新型の暖足器では、発熱膜は一定の硬度を持ち、かつ、カールができ、こ
の暖足器の縦置きを支えることができ、既存の暖足器の中の支持板を除去して、この暖足
器の全体の厚さを大幅に減少させ、収納に便利である。
4、本実用新案の脚部には、接続部品が設けられており、この暖足器の両端を接続部品で
接続して、この暖足器を円筒形に囲み、この暖足器で囲った円筒内に足を入れて暖まるこ
とができ、操作が簡単で使いやすい。
5、本実用的な新型の暖足器は、この暖足器を円筒形にして使用し、熱量がより速く、保
温効果がより良い。
【図面の簡単な説明】
【０００６】
【図１】暖足器の第１実施例の全体図である。
【図２】暖足器の第２実施例の全体図である。
【図３】暖足器の第３実施例の全体図である。
【図４】暖足器の第４実施例の全体図である。
【図５】暖足器の第１実施例の分解図１である。
【図６】暖足器の第１実施例の分解図２である。
【図７】暖足器の第１実施例の分解図３である。
【図８】暖足器の第１実施例の分解図４である。
【図９】発熱カーペットの階層の構造図である。
【０００７】
［符号の説明］
発熱カーペット １
接続手段 ２
回路板 ３
発熱層 １１
保温層 １２
内表層 １３
反射層 １４
隔熱層 １５
保護層 １６
凹形口 １７
雄接続手段 ２１
雌接続手段 ２２
第１前盖 ２３
第１後盖 ２４
第２前盖 ２５
第２後盖 ２６
係りバックル ２７
係溝 ２８
取付溝 ３１
スイッチボード ３２
スイッチボタン ３３
【考案を実施するための形態】
【０００８】
以下、添付図面に関連して、本考案の技術的特徴をさらに詳細に説明し、当該技術者が理
解できるようにする。
【０００９】
暖足器は、図１〜図８に示すように、発熱カーペット１と、発熱カーペット１に電気接続
される、加熱を制御するための回路板３と、および、発熱カーペット１の両端に設けられ
る、接続および支持作用を発揮するとともに、発熱カーペット１に円筒形に包囲させ得る
接続手段２を含む。
【００１０】
発熱カーペット１は、複数層設けられ、加熱に用いられる発熱層１１と、あまりに快速な
熱散逸の防止に用いられる保温層１２と、および、快適感の向上に用いられる内表層１３
とを含む。発熱層１１は、完全な一枚の発熱膜であり、巻き曲げの収納方式を採用するこ
とにより、折り畳みの収納方式の場合における内部回路の断裂容易、および安全度不十分
という不都合を回避している。また、製造は、一次成形が可能であり、綴り合わせなどが
必要としなく、人工コストを大幅に低減させ、生産効率を向上している。発熱カーペット
１の外表面は保温層１２であり、発熱カーペット１の内表面は内表層１３であり、発熱層
１１は保温層１２と内表層１３の間に位置されている。さらに発熱カーペット１の縁部に
１層のエッジ布材が包まれている。
【００１１】
発熱カーペット１の上方に、包囲動作後に足を入れ易くさせるための凹形口１７を含む。
発熱カーペット１の両端の接続位置は、凹形口１７の中間位置、または左側寄り位置ある
いは右側寄り位置に位置する。実施例一では、凹形口１７は発熱カーペット１の突合させ
位置の中間に位置する。図１に示すように、実施例二では、凹形口１７は発熱カーペット
１の突合させ位置の左側に位置する。図２に示すように、実施例三では、凹形口１７は発
熱カーペット１の突合させ位置の右側に位置する。図３に示すように、実施例四では、発
熱カーペット１の幅度が狭くて、円筒形に包囲させると、高度が低いとなり、そうすると
したら、直接かつ便利に足を発熱カーペット１に包囲された円筒内に入れることができる
。
【００１２】
本暖足器は、使用すべく、弧形に包囲させて、他の支持が要らない。あるいは、接続手段
２によって該暖足器の両端を一緒に接続することにより、該暖足器を円筒形に包囲させる
。そして、図１〜図３に示すように、レッグやフット（足）を凹形口１７から該暖足器に
囲まれた円筒内に入れれば、暖を取ることができる。操作が簡単で、使用も便利である。
しかも、該暖足器は円筒形に包囲させて使用すれば、速く熱を集め得るとともに、保温効
果も向上する。
【００１３】
保温層１２は、熱輻射を反射し、熱を集めるための反射層１４を含む。保温層１２はさら
に、熱の散逸を防止するための隔熱層１５、および内部を保護するための保護層１６を含
む。反射層１４の一面は発熱層１１に貼合され、その他面は隔熱層１５に貼合されている
。保護層１６は発熱カーペット１の外表面となる。
【００１４】
発熱層１１と回路板３とが電気接続され、回路板３と外部の電源ワイヤとが電気接続され
、発熱層１１の材料は一定の硬度を持ち、且つ巻き曲げられる発熱膜を有する。発熱層１
１は全体成型とした完全な一枚の発熱膜である。発熱層１１の材料は該暖足器を鉛直に配
置し得るように支持できる。従来の暖足器における支持板を不要とし、該暖足器の全体厚
さを大幅に減少させ、収納に便利である。
【００１５】
内表層１３の材料は絨布とし、反射層１４の材料はアルミニウム膜とし、隔熱層１５の材
料はＸＰＥ材料とし、保護層１６の材料はＰＥ材料とする。
【００１６】
隔熱層１５の厚度範囲は２．０ｍｍ〜３．５ｍｍとし、発熱層１１の厚度範囲は０．３ｍ
ｍ〜０．６ｍｍとし、全体厚度は薄くて、収納に便利である。
【００１７】
接続手段２は雄接続手段２１と雌接続手段２２を含む。雄接続手段２１と雌接続手段２２
はそれぞれ発熱カーペット１の両端に接続されている。雄接続手段２１は発熱カーペット
１の外側に位置する第１前盖２３と、発熱カーペット１の内側に位置する第１後盖２４と
を含む。雌接続手段２２は発熱カーペット１の外側に位置する第２前盖２５と、発熱カー
ペット１の内側に位置する第２後盖２６とを含む。雄接続手段２１上に凸起した係りバッ
クル２７が設けられ、雌接続手段２２に対応的に係りバックル２７を係合する係溝２８が
設けられている。
【００１８】
接続手段２は、ベルクロまたは磁石のように、様々な手段によって発熱カーペット１の両
端を一緒に接続することができる。
【００１９】
カーペット１の一端の外側に回路板３を取り付けるための取付溝３１が設けられている。
回路板３上に電源をオンオフ制御し、ランクを調節するためのスイッチボード３２が電気
接続されている。スイッチボード３２上にスイッチボタン３３が取付けられている。
【００２０】
本実用新案に記載された実施形態は、本考案の好適な実施形態についての説明だけであり
、上記で説明された図面に示された正確な構造に限定されず、その範囲を逸脱せずに種々
の修正及び変更を行うことができ、本考案の思想から逸脱しないことを前提に、当業者が
本実用新案の技術案に対して作成した様々な変形と改良は、本実用新案の保護範囲に含ま
れるものとする。
【図１】
0003234954.tif 000003
【図２】
0003234954.tif 000004
【図３】
0003234954.tif 000005
【図４】
0003234954.tif 000006
【図５】
0003234954.tif 000007
【図６】
0003234954.tif 000008
【図７】
0003234954.tif 000009
【図８】
0003234954.tif 000010
【図９】
0003234954.tif 000011